(57)【要約】【課題】マルチキャリア伝送を行う場合の条件に制約を設けることにより、他システムへの干渉を低減しつつ、マルチキャリア伝送による伝送特性の増大効果を実現する。【解決手段】本発明のユーザ装置１００ｎは、上りリンクの信号の送信を指示する制御信号を受信するように構成されている制御信号受信部１１と、基地局装置２００に対して、制御信号に基づいて、上りリンクの信号を送信するように構成されている上りリンク信号送信部１３とを具備し、上りリンク信号送信部１３は、制御信号に含まれる情報が予め指定されている内容と合致する場合に、上りリンクの信号を送信しないように構成されている。【選択図】図６
2010279017.tif 000002
【特許請求の範囲】
【請求項１】
移動通信システム内で基地局装置と無線通信するユーザ装置であって、
上りリンクの信号の送信を指示する制御信号を受信するように構成されている制御信号受信部と、
前記基地局装置に対して、前記制御信号に基づいて、前記上りリンクの信号を送信するように構成されている上りリンク信号送信部とを具備し、
前記上りリンク信号送信部は、前記制御信号に含まれる情報が予め指定されている内容と合致する場合に、前記上りリンクの信号を送信しないように構成されていることを特徴とするユーザ装置。
【請求項２】
前記予め指定されている内容は、前記上りリンクの信号を構成する送信キャリアの数、該上りリンクの信号の送信帯域幅、該上りリンクの信号の変調方式、該上りリンクの信号の送信周波数、該上りリンクの信号の送信電力、該上りリンクの信号のチャネル種別、該上りリンクの信号の信号種別、満たされるべき不要輻射に関する規定の少なくとも１つであることを特徴とする請求項１に記載のユーザ装置。
【請求項３】
前記満たされるべき不要輻射に関する規定は、スプリアスエミッション規定、スペクトラムエミッション規定、ＡＣＬＲ規定の少なくとも１つであることを特徴とする請求項２に記載のユーザ装置。
【請求項４】
前記上りリンク信号送信部は、前記制御信号に含まれる前記上りリンクの信号を構成する送信キャリアの数が２つ以上であり、かつ、該制御信号に含まれる前記上りリンクの信号の送信帯域幅が所定閾値以下である場合に、前記上りリンクの信号を送信しないように構成されていることを特徴とする請求項２に記載のユーザ装置。
【請求項５】
前記上りリンク信号送信部は、前記制御信号に含まれる前記上りリンクの信号を構成する送信キャリアの数が２つ以上であり、該制御信号に含まれる前記上りリンクの信号の送信帯域幅が所定閾値以下であり、かつ、該制御信号に含まれる前記上りリンクの信号を構成する２つ以上の送信キャリアの送信周波数の差が所定閾値以上である場合に、前記上りリンクの信号を送信しないように構成されていることを特徴とする請求項２に記載のユーザ装置。
【請求項６】
前記上りリンク信号送信部は、前記制御信号に含まれる前記上りリンクの信号を構成する送信キャリアの数が２つ以上であり、該制御信号に含まれる前記上りリンクの信号の送信帯域幅が所定閾値以下であり、かつ、該制御信号に含まれる前記上りリンクの信号を構成する２つ以上の送信キャリアが互いに異なる周波数帯域内の信号である場合に、前記上りリンクの信号を送信しないように構成されていることを特徴とする請求項２に記載のユーザ装置。
【請求項７】
前記予め指定されている内容は、前記基地局装置より、ＲＲＣメッセージ又は報知情報により通知されることを特徴とする請求項１に記載のユーザ装置。
【請求項８】
前記予め指定されている内容は、前記ユーザ装置のＣａｐａｂｉｌｉｔｙにより決定されることを特徴とする請求項１に記載のユーザ装置。
【請求項９】
前記予め指定されている内容を、前記基地局装置に対して通知することを特徴とする請求項１に記載のユーザ装置。
【請求項１０】
移動通信システム内で基地局装置と無線通信するユーザ装置であって、
上りリンクの信号の送信を指示する制御信号を受信するように構成されている制御信号受信部と、
前記基地局装置に対して、前記制御信号に基づいて、前記上りリンクの信号を送信するように構成されている上りリンク信号送信部とを具備し、
前記上りリンク信号送信部は、前記制御信号に含まれる情報が予め指定されている内容と合致する場合に、前記上りリンクの信号の一部を送信するように構成されていることを特徴とするユーザ装置。
【請求項１１】
前記予め指定されている内容は、前記上りリンクの信号を構成する送信キャリアの数、該上りリンクの信号の送信帯域幅、該上りリンクの信号の変調方式、該上りリンクの信号の送信周波数、該上りリンクの信号の送信電力、該上りリンクの信号のチャネル種別、該上りリンクの信号の信号種別、満たされるべき不要輻射に関する規定の少なくとも１つであることを特徴とする請求項１０に記載のユーザ装置。
【請求項１２】
前記満たされるべき不要輻射に関する規定は、スプリアスエミッション規定、スペクトラムエミッション規定、ＡＣＬＲ規定の少なくとも１つであることを特徴とする請求項１１に記載のユーザ装置。
【請求項１３】
前記上りリンク信号送信部は、前記制御信号に含まれる前記上りリンクの信号を構成する送信キャリアの数が２つ以上であり、かつ、該制御信号に含まれる前記上りリンクの信号の送信帯域幅が所定閾値以下である場合に、前記上りリンクの信号の一部を送信するように構成されていることを特徴とする請求項１１に記載のユーザ装置。
【請求項１４】
前記上りリンク信号送信部は、前記制御信号に含まれる前記上りリンクの信号を構成する送信キャリアの数が２つ以上であり、該制御信号に含まれる前記上りリンクの信号の送信帯域幅が所定閾値以下であり、かつ、該制御信号に含まれる前記上りリンクの信号を構成する２つ以上の送信キャリアの送信周波数の差が所定閾値以上である場合に、前記上りリンクの信号の一部を送信するように構成されていることを特徴とする請求項１１に記載のユーザ装置。
【請求項１５】
前記上りリンク信号送信部は、前記制御信号に含まれる前記上りリンクの信号を構成する送信キャリアの数が２つ以上であり、該制御信号に含まれる前記上りリンクの信号の送信帯域幅が所定閾値以下であり、かつ、該制御信号に含まれる前記上りリンクの信号を構成する２つ以上の送信キャリアが互いに異なる周波数帯域内の信号である場合に、前記上りリンクの信号の一部を送信するように構成されていることを特徴とする請求項１１に記載のユーザ装置。
【請求項１６】
前記予め指定されている内容は、前記基地局装置より、ＲＲＣメッセージ又は報知情報により通知されることを特徴とする請求項１０に記載のユーザ装置。
【請求項１７】
前記予め指定されている内容は、前記ユーザ装置のＣａｐａｂｉｌｉｔｙにより決定されることを特徴とする請求項１０に記載のユーザ装置。
【請求項１８】
前記予め指定されている内容を、前記基地局装置に対して通知することを特徴とする請求項１０に記載のユーザ装置。
【請求項１９】
移動通信システム内でユーザ装置と無線通信する基地局装置であって、
前記ユーザ装置に対して、送信不能な上りリンクの信号の構成を指定する制限情報を送信するように構成されている第１送信部と、
上りリンクの信号の送信を指示する制御信号を送信するように構成されている第２送信部とを具備することを特徴とする基地局装置。
【請求項２０】
前記送信不能な上りリンクの信号の構成を指定する制限情報は、前記上りリンクの信号を構成する送信キャリアの数、該上りリンクの信号の送信帯域幅、該上りリンクの信号の変調方式、該上りリンクの信号の送信周波数、該上りリンクの信号の送信電力、該上りリンクの信号のチャネル種別、上りリンクの信号の信号種別、満たされるべき不要輻射に関する規定の少なくとも１つであることを特徴とする請求項１９に記載の基地局装置。
【請求項２１】
前記第１送信部は、前記上りリンクの信号を構成する送信キャリアの数が２つ以上であり、かつ、該上りリンクの信号の送信帯域幅が所定閾値以下である構成を、前記送信不能な上りリンクの信号の構成として指定する制限情報を送信するように構成されていることを特徴とする請求項２０に記載の基地局装置。
【請求項２２】
移動通信システム内でユーザ装置と基地局装置との間の無線通信を制御する通信制御方法であって、
上りリンクの信号の送信を指示する制御信号を受信する工程Ａと、
前記基地局装置に対して、前記制御信号に基づいて、前記上りリンクの信号を送信する工程Ｂとを備え、
前記工程Ｂにおいて、前記制御信号に含まれる情報が予め指定されている内容と合致する場合に、前記上りリンクの信号を送信しないことを特徴とする通信制御方法。
【請求項２３】
移動通信システム内でユーザ装置と基地局装置との間の無線通信を制御する通信制御方法であって、
上りリンクの信号の送信を指示する制御信号を受信する工程Ａと、
前記基地局装置に対して、前記制御信号に基づいて、前記上りリンクの信号を送信する工程Ｂとを備え、
前記工程Ｂにおいて、前記制御信号に含まれる情報が予め指定されている内容と合致する場合に、前記上りリンクの信号の一部を送信することを特徴とする通信制御方法。
【請求項２４】
前記上りリンク信号送信部は、前記制御信号に含まれる前記上りリンクの信号を構成する送信キャリアの数が２つ以上であり、該制御信号に含まれる前記上りリンクの信号の送信帯域幅が所定閾値以下であり、かつ、該制御信号に含まれる前記上りリンクの信号を構成する２つ以上の送信キャリアが同じ周波数帯域内の信号である場合に、前記上りリンクの信号を送信しないように構成されていることを特徴とする請求項２に記載のユーザ装置。
【請求項２５】
前記上りリンク信号は、上りスケジューリンググラントによる上りリンクの信号、周期的な上りリンクの信号、下りリンクの送信をトリガーとした上りリンクの信号の少なくとも１つであることを特徴とする請求項１に記載のユーザ装置。
【請求項２６】
前記上りリンク信号送信部は、前記制御信号に含まれる前記上りリンクの信号を構成する送信キャリアの数が２つ以上であり、該制御信号に含まれる前記上りリンクの信号の送信帯域幅が所定閾値以下であり、かつ、該制御信号に含まれる前記上りリンクの信号を構成する２つ以上の送信キャリアが同じ周波数帯域内の信号である場合に、前記上りリンクの信号の一部を送信するように構成されていることを特徴とする請求項１０に記載のユーザ装置。
【請求項２７】
前記上りリンク信号は、上りスケジューリンググラントによる上りリンクの信号、周期的な上りリンクの信号、下りリンクの送信をトリガーとした上りリンクの信号の少なくとも１つであることを特徴とする請求項１０に記載のユーザ装置。
【発明の詳細な説明】
【技術分野】
【０００１】
本発明は、移動通信の技術分野に関連し、特に、次世代移動通信技術を用いる移動通信システムにおけるユーザ装置、基地局装置及び通信制御方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が進められている。
【０００３】
ＬＴＥ方式での無線アクセス方式として、下りリンクについては直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が規定され、上りリンクについてはシングルキャリア周波数分割多重接続（ＳＣ-ＦＤＭＡ：Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が規定されている（例えば、非特許文献１参照）。
【０００４】
ＯＦＤＭＡ方式は、周波数帯域を複数の狭い周波数帯域（サブキャリア）に分割し、各サブキャリアにデータを載せて伝送を行うマルチキャリア伝送方式である。ＯＦＤＭＡ方式によれば、サブキャリアを周波数軸上に直交させながら密に並べることで高速伝送を実現し、周波数の利用効率を上げることが期待できる。
【０００５】
ＳＣ-ＦＤＭＡ方式は、周波数帯域を端末毎に分割し、複数の端末間で異なる周波数帯域を用いて伝送するシングルキャリア伝送方式である。ＳＣ-ＦＤＭＡ方式によれば、端末間の干渉を簡易且つ効果的に低減することができることに加えて送信電力の変動を小さくできるので、ＳＣ-ＦＤＭＡ方式は、端末の低消費電力化及びカバレッジの拡大等の観点から好ましい。
【０００６】
ＬＴＥ方式では、下りリンク及び上りリンクの両方において、移動局に対して１つ以上のリソースブロック（ＲＢ：Ｒｅｓｏｕｒｃｅ  Ｂｌｏｃｋ）が割り当てられて通信が行われる。
【０００７】
基地局装置は、サブフレーム（ＬＴＥ方式では、１ｍｓ）毎に、複数の移動局の中で、どの移動局に対してリソースブロックを割り当てるかについて決定する(かかるプロセスは「スケジューリング」と呼ばれる。)。
【０００８】
下りリンクにおいては、基地局装置が、スケジューリングで選択された移動局に対して、１以上のリソースブロックを用いて共有チャネル信号を送信し、上りリンクにおいては、スケジューリングで選択された移動局が、基地局装置に対して、１以上のリソースブロックを用いて共有チャネル信号を送信する。
【０００９】
なお、かかる共有チャネル信号は、上りリンクにおいては、ＰＵＳＣＨ（Ｐｈｙｓｉｃａｌ  Ｕｐｌｉｎｋ  Ｓｈａｒｅｄ  Ｃｈａｎｎｅｌ）上の信号であり、下りリンクにおいては、ＰＤＳＣＨ（Ｐｈｙｓｉｃａｌ  Ｄｏｗｎｌｉｎｋ  Ｓｈａｒｅｄ  Ｃｈａｎｎｅｌ）上の信号である。
【００１０】
また、ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献２にまとめられている。
【００１１】
ＬＴＥ-ａｄｖａｎｃｅｄ方式では、その要求条件として、「Ｃａｒｒｉｅｒ  ａｇｇａｒｅｇａｔｉｏｎ」を行うことが合意されている。ここで、「Ｃａｒｒｉｅｒ  ａｇｇｒｅｇａｔｉｏｎ」とは、複数のキャリアを用いて同時に通信を行うことを意味する。
【００１２】
例えば、上りリンクにおいて「Ｃａｒｒｉｅｒ  ａｇｇｒｅｇａｔｉｏｎ」が行われる場合、移動局は、「Ｃｏｍｐｏｎｅｎｔ  Ｃａｒｒｉｅｒ」毎に異なるキャリアを用いて送信を行うため、複数のキャリアを用いて上りリンクの信号を送信する。また、１つの「Ｃｏｍｐｏｎｅｎｔ  Ｃａｒｒｉｅｒ」内でも、マルチキャリア送信を行うことが検討されている。
【００１３】
なお、かかるマルチキャリア送信は、シングルキャリア送信を同時に２つ以上行うことを意味している。
【００１４】
例えば、１００リソースブロックで構成されるコンポーネントキャリアにおいて、２０リソースブロックを用いたシングルキャリア送信を行う場合には、シングルキャリア送信と看做されるが、上述の２０リソースブロックのシングルキャリア送信を同時に２つ行う場合には、マルチキャリア送信となる。
【００１５】
後者の場合、ＵＥは、１００リソースブロックで構成されるシステム帯域において、合計で４０個のリソースブロックで送信を行うことになる。また、後者の場合は、かかる２０リソースブロックで構成されるシングルキャリアが、隣接している場合にも、マルチキャリア送信と看做される。
【００１６】
また、上述の例においては、１つのコンポーネントキャリアが存在したが、２つ以上のコンポーネントキャリアが存在する場合で、かつ、その２つ以上のコンポーネントキャリアにおいて、複数のシングルキャリア送信を同時に行う場合も、マルチキャリア送信と看做される。
【００１７】
ところで、電波を用いたシステムである携帯電話システムや電波天文システムや衛星通信システムや航空・海上レーダーシステムや地球資源探査システムや無線ＬＡＮシステムは、一般的に、お互いの干渉を防ぐために、利用する周波数帯域を分離する。また、例えば、携帯電話システム用に割り当てられた周波数帯域の中に、さらに複数のシステム用に割り当てられた周波数帯域が存在し、各システムの周波数帯域は分離されている。
【００１８】
すなわち、電波を用いたシステムは、その利用する周波数帯域を分離することにより、システム間の干渉を防いでいる。
【００１９】
しかしながら、電波を放射する送信機は、自システムの周波数帯域の外側の帯域に不要波（以下、隣接チャネル干渉と呼ぶ）を放射してしまうため、周波数帯域が分離されていたとしても、隣接する複数のシステムは、お互いに干渉を与え合うことになる。よって、上記不要波の電力レベルが大きい場合には、隣接するシステムに多大な悪影響を与えることになる。
【００２０】
このような隣接チャネル干渉による、隣接するシステムへの悪影響を防ぐために、各システムにおいて、上述の隣接チャネル干渉やスプリアス放射に関する特性に関するパフォーマンスが規定されている。例えば、ＬＴＥ方式においては、移動局の隣接チャネル干渉やスプリアス放射等に関する規定として、非特許文献３の「６.６  Ｏｕｔｐｕｔ  ＲＦ  ｓｐｅｃｔｒｕｍ  ｅｍｉｓｓｉｏｎｓ」が存在する。
【００２１】
ところで、上述した自システムの周波数帯域の外側の帯域への不要波を抑圧するために、移動局は、線形性の高い電力増幅器（電力アンプ）を搭載する必要がある。
【００２２】
よって、移動局のコストやサイズを考慮した場合、上述した不要波を低減すること、或いは、上述した隣接チャネル干渉の規定やスプリアス放射の規定を満たすことが困難な場合がある。
【００２３】
かかる場合、例えば、上述した非特許文献３においては、移動局のコストやサイズを抑えるために、ある条件の下で、最大送信電力を低減することが規定されている。
【００２４】
このように最大送信電力を低減することは、「Ｍａｘｉｍｕｍ  ｐｏｗｅｒ  ｒｅｄｕｃｔｉｏｎ（ＭＰＲ）」と呼ばれる。例えば、ＬＴＥ方式においては、変調方式とシステム帯域幅とリソースブロック数とに基づいて、ＭＰＲが定義されている（非特許文献３の「Ｔａｂｌｅ６.２.３-１」。このように最大送信電力を低減することにより、より移動局のコストやサイズを小さく抑えることが可能となる。
【先行技術文献】
【非特許文献】
【００２５】
【非特許文献１】３ＧＰＰ  ＴＳ３６.２１１（Ｖ８.３.０）、「Ｐｈｙｓｉｃａｌ  Ｃｈａｎｎｅｌｓ  ａｎｄ  Ｍｏｄｕｌａｔｉｏｎ」、２００８年５月
【非特許文献２】３ＧＰＰ  ＴＳ３６.９１３（Ｖ８.０.１）、「Ｒｅｑｕｉｒｅｍｅｎｔ  ｆｏｒ  ｆｕｒｔｈｅｒ  ａｄｖａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）（ＬＴＥ-Ａｄｖａｎｃｅｄ）」
【非特許文献３】３ＧＰＰ  ＴＳ３６.１０１（Ｖ８.２.０）、「Ｅ-ＵＴＲＡ  ＵＥ  ｒａｄｉｏ  ｔｒａｎｓｍｉｓｓｉｏｎ  ａｎｄ  ｒｅｃｅｐｔｉｏｎ」
【発明の概要】
【発明が解決しようとする課題】
【００２６】
しかしながら、上述した従来の移動通信システムには、以下のような問題点がある。
【００２７】
上述したように、ＬＴＥ-Ａｄｖａｎｃｅｄ方式では、「Ｃａｒｒｉｅｒ  ａｇｇｒｅｇａｔｉｏｎ（キャリアアグリゲーション）」が行われる。ところが、上りリンクにおいて、複数のキャリアで上りリンクの信号を送信した場合、「Ｉｎｔｅｒｍｏｄｕｌａｔｉｏｎ  ｐｒｏｄｕｃｔｓ（以下、「ＩＭ  ｐｒｏｄｕｃｔｓ」と呼ぶ）」が発生し、この「ＩＭ  ｐｒｏｄｕｃｔｓ」が、他システムへの干渉となる。
【００２８】
以下に、図８及び図９を参照して、「ＩＭ  ｐｒｏｄｕｃｔｓ」が他システムへの干渉を引き起こす例について説明する。
【００２９】
図８及び図９において、１つの送信キャリアの帯域幅を「１８０ｋＨｚ」と仮定する。また、自システムのシステム帯域を「１９２０ＭＨｚ」〜「１９８０ＭＨｚ」と仮定し、被干渉システム（他システム）のシステム帯域を「１８８０ＭＨｚ」〜「１８９０ＭＨｚ」と仮定する。
【００３０】
図８の場合には、自システムにおいて、シングルキャリア伝送が行われるため、「ＩＭ  ｐｒｏｄｕｃｔｓ」は発生しない。
【００３１】
また、一般に、隣接チャネルへの干渉は、送信帯域幅の２.５倍の領域に発生すると言われており、送信帯域幅が「１８０ｋＨｚ」の場合には、送信帯域の両脇の３６０ｋＨｚの部分に干渉が発生する。
【００３２】
これは、送信信号の周波数である「１９３０ＭＨｚ」が、被干渉システム（他システム）のシステム帯域である「１８８０ＭＨｚ」〜「１８９０ＭＨｚ」から大きく離れていることを考慮すると、干渉という観点から全く問題にならないことを意味する。
【００３３】
一方、図９の場合、自システムにおいて、マルチキャリア伝送が行われるため、第１の送信キャリアと第２の送信キャリアから生じる「ＩＭ  ｐｒｏｄｕｃｔｓ」が、「１８９０ＭＨｚ」の周波数のところに発生する。
【００３４】
これは、システム帯域が「１８８０ＭＨｚ」〜「１８９０ＭＨｚ」である被干渉システム（他システム）にとっては、許容し難い干渉となる。
【００３５】
なお、一般に、ユーザ装置の送信電力は有限であるため、送信帯域幅が大きくなる場合には、電力密度は小さくなる。
【００３６】
一方、被干渉システムの観点からは、干渉信号の帯域あたりの電力、すなわち、電力密度が、該システムの運用に影響を与えるか否かを左右する。
【００３７】
よって、上述した「ＩＭ  ｐｒｏｄｕｃｔｓ」による干渉の影響は、マルチキャリア伝送を行う場合の各送信キャリアの帯域幅に大きく依存する。
【００３８】
そこで、本発明は、上述の課題に鑑みてなされたものであり、マルチキャリア伝送を行う場合の条件に制約を設けることにより、他システムへの干渉を低減しつつ、マルチキャリア伝送による伝送特性の増大効果を実現することのできるユーザ装置、基地局装置及び通信制御方法を提供することを目的とする。
【課題を解決するための手段】
【００３９】
本発明の第１の特徴は、移動通信システム内で基地局装置と無線通信するユーザ装置であって、上りリンクの信号の送信を指示する制御信号を受信するように構成されている制御信号受信部と、前記基地局装置に対して、前記制御信号に基づいて、前記上りリンクの信号を送信するように構成されている上りリンク信号送信部とを具備し、前記上りリンク信号送信部は、前記制御信号に含まれる情報が予め指定されている内容と合致する場合に、前記上りリンクの信号を送信しないように構成されていることを要旨とする。
【００４０】
本発明の第２の特徴は、移動通信システム内でユーザ装置と無線通信する基地局装置であって、前記ユーザ装置に対して、送信不能な上りリンクの信号の構成を指定する制限情報を送信するように構成されている第１送信部と、上りリンクの信号の送信を指示する制御信号を送信するように構成されている第２送信部とを具備することを要旨とする。
【００４１】
本発明の第３の特徴は、移動通信システム内でユーザ装置と基地局装置との間の無線通信を制御する通信制御方法であって、上りリンクの信号の送信を指示する制御信号を受信する工程Ａと、前記基地局装置に対して、前記制御信号に基づいて、前記上りリンクの信号を送信する工程Ｂとを備え、前記工程Ｂにおいて、前記制御信号に含まれる情報が予め指定されている内容と合致する場合に、前記上りリンクの信号を送信しないことを要旨とする。
【００４２】
本発明の第４の特徴は、移動通信システム内で基地局装置と無線通信するユーザ装置であって、上りリンクの信号の送信を指示する制御信号を受信するように構成されている制御信号受信部と、前記基地局装置に対して、前記制御信号に基づいて、前記上りリンクの信号を送信するように構成されている上りリンク信号送信部とを具備し、前記上りリンク信号送信部は、前記制御信号に含まれる情報が予め指定されている内容と合致する場合に、前記上りリンクの信号の一部を送信するように構成されていることを要旨とする。
【００４３】
本発明の第５の特徴は、移動通信システム内でユーザ装置と基地局装置との間の無線通信を制御する通信制御方法であって、上りリンクの信号の送信を指示する制御信号を受信する工程Ａと、前記基地局装置に対して、前記制御信号に基づいて、前記上りリンクの信号を送信する工程Ｂとを備え、前記工程Ｂにおいて、前記制御信号に含まれる情報が予め指定されている内容と合致する場合に、前記上りリンクの信号の一部を送信することを要旨とする。
【発明の効果】
【００４４】
以上説明したように、本発明によれば、マルチキャリア伝送を行う場合の条件に制約を設けることにより、他システムへの干渉を低減しつつ、マルチキャリア伝送による伝送特性の増大効果を実現することのできるユーザ装置、基地局装置及び通信制御方法を提供することができる。
【図面の簡単な説明】
【００４５】
【図１】本発明の第１の実施形態に係る移動通信システムの全体構成図である。
【図２】本発明の第１の実施形態に係る基地局装置の機能ブロック図である。
【図３】本発明の第１の実施形態に係るユーザ装置の機能ブロック図である。
【図４】本発明の第１の実施形態に係る移動通信システムにおける制限情報により通知される情報の一例を示す図である。
【図５】本発明の第１の実施形態に係る移動通信システムにおける制限情報により通知される情報の一例を示す図である。
【図６】本発明の第１の実施形態に係る移動通信システムの動作を示すシーケンス図である。
【図７】本発明の第１の実施形態に係る移動通信システムの動作を示すシーケンス図である。
【図８】従来の移動通信システムについて説明するための図である。
【図９】従来の移動通信システムについて説明するための図である。
【発明を実施するための形態】
【００４６】
（本発明の第１の実施形態に係る移動通信システムの構成）
以下、本発明の第１の実施形態に係る移動通信システムについて、図面を参照しつつ説明する。本実施形態を説明するための全図において、同一機能を有するものは同一符号を用い、繰り返しの説明は省略する。
【００４７】
図１を参照しながら、本実施形態に係るユーザ装置１００ｎ及び基地局装置２００を有する移動通信システムについて説明する。
【００４８】
移動通信システム１０００は、例えば、「Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ、或いは、Ｓｕｐｅｒ  ３Ｇ）」方式、或いは、ＬＴＥ-Ａｄｖａｎｃｅｄ方式が適用されるシステムである。
【００４９】
移動通信システム１０００は、基地局装置（ｅＮＢ：ｅＮｏｄｅＢ）２００と、基地局装置２００と通信する複数のユーザ装置１００ｎ（１００１、１００２、１００３、…１００ｎ、ｎは、ｎ＞０の整数）とを備える。
【００５０】
基地局装置２００は、上位局、例えば、アクセスゲートウェイ装置３００と接続され、アクセスゲートウェイ装置３００は、コアネットワーク４００と接続される。移動局１００ｎは、セル５０において基地局装置２００と「Ｅｖｏｌｖｅｄ  ＵＴＲＡ  ａｎｄ  ＵＴＲＡＮ」方式により通信を行っている。なお、アクセスゲートウェイ装置３００は、ＭＭＥ/ＳＧＷ（Ｍｏｂｉｌｉｔｙ  Ｍａｎａｇｅｍｅｎｔ  Ｅｎｔｉｔｙ/Ｓｅｒｖｉｎｇ  Ｇａｔｅｗａｙ）と呼ばれてもよい。
【００５１】
各ユーザ装置（１００１、１００２、１００３、…１００ｎ）は、同一の構成、機能、状態を有するので、以下では、特段の断りがない限り、ユーザ装置１００ｎとして説明を進める。ここで、ユーザ装置（ＵＥ：  Ｕｓｅｒ  Ｅｑｕｉｐｍｅｎｔ）は、基地局装置２００と無線通信するものであって、移動局であってもよいし、移動端末であってもよいし、固定端末であってもよい。
【００５２】
移動通信システム１０００では、無線アクセス方式として、下りリンクについては「ＯＦＤＭＡ（直交周波数分割多元接続）方式」が適用され、上りリンクについては「ＳＣ-ＦＤＭＡ（シングルキャリア-周波数分割多元接続）方式」が適用される。
【００５３】
上述したように、ＯＦＤＭＡ方式は、周波数帯域を複数の狭い周波数帯域（サブキャリア）に分割し、各サブキャリアにデータをマッピングして通信を行うマルチキャリア伝送方式である。また、ＳＣ-ＦＤＭＡ方式は、周波数帯域を端末毎に分割し、複数の端末が互いに異なる周波数帯域を用いることで、端末間の干渉を低減するシングルキャリア伝送方式である。
【００５４】
なお、ＬＴＥ-Ａｄｖａｎｃｅｄ方式においては、「Ｃａｒｒｉｅｒ  Ａｇｇｒｅｇａｔｉｏｎ」を行うことが合意されている。
【００５５】
下りリンクについては、「Ｃｏｍｐｏｎｅｎｔ  Ｃａｒｒｉｅｒ（コンポーネントキャリア）」を複数用いた通信が行われる。ここで、「Ｃｏｍｐｏｎｅｎｔ  Ｃａｒｒｉｅｒ」とは、ＬＴＥ方式における１つのシステムキャリアに相当する。すなわち、ＬＴＥ方式では、１つの「Ｃｏｍｐｏｎｅｎｔ  Ｃａｒｒｉｅｒ」で通信が行われていたが、ＬＴＥ-Ａｄｖａｎｃｅｄ方式では、２つ以上の「Ｃｏｍｐｏｎｅｎｔ  Ｃａｒｒｉｅｒ」で通信が行われてもよい。
【００５６】
上りリンクにおいても、２つ以上の「Ｃｏｍｐｏｎｅｎｔ  Ｃａｒｒｉｅｒ」で通信が行われてもよい。また、ＬＴＥ方式においては、基本的に、シングルキャリア送信であったが、ＬＴＥ-Ａｄｖａｎｃｅｄ方式では、マルチキャリア送信が行われてもよい。
【００５７】
ここで、マルチキャリア送信は、複数の「Ｃｏｍｐｏｎｅｎｔ  Ｃａｒｒｉｅｒ」にまたがったマルチキャリア送信であってもよいし、１つの「Ｃｏｍｐｏｎｅｎｔ  Ｃａｒｒｉｅｒ」内でのマルチキャリア送信であってもよいし、或いは、複数の「Ｃｏｍｐｏｎｅｎｔ  Ｃａｒｒｉｅｒ」にまたがったマルチキャリア送信であり、かつ、１つの「Ｃｏｍｐｏｎｅｎｔ  Ｃａｒｒｉｅｒ」内でマルチキャリア送信が行われていてもよい。
【００５８】
すなわち、かかるマルチキャリア送信は、シングルキャリア送信を同時に２つ以上行うことを意味している。また、かかるシングルキャリアは、ＬＴＥにおけるシングルキャリア周波数分割多重接続（ＳＣ-ＦＤＭＡ）により送信されるシングルキャリアに対応する。或いは、かかるシングルキャリア送信は、ＤＦＴ−Ｓｐｒｅａｄ  ＯＦＤＭによるシングルキャリア送信に対応する。
【００５９】
例えば、１００リソースブロックで構成されるコンポーネントキャリアにおいて、２０リソースブロックを用いたシングルキャリア送信を行う場合には、シングルキャリア送信と看做されるが、上述の２０リソースブロックのシングルキャリア送信を同時に２つ行う場合には、マルチキャリア送信となる。
【００６０】
後者の場合、ＵＥは、１００リソースブロックで構成されるシステム帯域において、合計で４０個のリソースブロックで送信を行うことになる。また、後者の場合は、かかる２０リソースブロックで構成されるシングルキャリアが、隣接している場合にも、マルチキャリア送信と看做される。
【００６１】
また、上述の例においては、１つのコンポーネントキャリアが存在したが、２つ以上のコンポーネントキャリアが存在する場合で、かつ、その２つ以上のコンポーネントキャリアにおいて、複数のシングルキャリア送信を同時に行う場合も、マルチキャリア送信と看做される。
【００６２】
ここで、「Ｅｖｏｌｖｅｄ  ＵＴＲＡ  ａｎｄ  ＵＴＲＡＮ（ＬＴＥ）」方式で用いられる通信チャネルについて説明する。なお、以下に示す通信チャネルは、ＬＴＥ-Ａｄｖａｎｃｅｄ方式においても用いられる。
【００６３】
下りリンクについては、各ユーザ装置１００ｎで共有される「物理下りリンク共有チャネル（ＰＤＳＣＨ）」及び「物理下りリンク制御チャネル（ＰＤＣＣＨ）」が用いられる。
【００６４】
物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）により、ユーザデータ、すなわち、通常のデータ信号が伝送される。また、ＰＤＣＣＨにより、ＰＤＳＣＨを用いて通信を行うユーザのＩＤやユーザデータのトランスポートフォーマットの情報（すなわち、下りスケジューリング情報）や、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を用いて通信を行うユーザのＩＤやユーザデータのトランスポートフォーマットの情報（すなわち、上りスケジューリンググラント）等が通知される。
【００６５】
ＰＤＣＣＨは、「下りＬ１/Ｌ２制御チャネル（Ｄｏｗｎｌｉｎｋ  Ｌ１／Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ）」と呼ばれてもよい。
【００６６】
また、下りリンクにおいては、論理チャネルとして「ＢＣＣＨ：Ｂｒｏａｄｃａｓｔ  Ｃｏｎｔｒｏｌ  Ｃｈａｎｎｅｌ」が送信される。
【００６７】
ＢＣＣＨの一部は、トランスポートチャネルである「ＢＣＨ：Ｂｒｏａｄｃａｓｔ  Ｃｈａｎｎｅｌ」」にマッピングされ、ＢＣＨにマッピングされた情報は、物理チャネルである「Ｐ-ＢＣＨ：Ｐｈｙｓｉｃａｌ  Ｂｒｏａｄｃａｓｔ  Ｃｈａｎｎｅｌ」により、該当するセル内のユーザ装置１００ｎに送信される。
【００６８】
また、ＢＣＣＨの一部は、トランスポートチャネルである「ＤＬ-ＳＣＨ：Ｄｏｗｎｌｉｎｋ  Ｓｈａｒｅｄ  Ｃｈａｎｎｅｌ」にマッピングされ、ＤＬ-ＳＣＨにマッピングされた情報は、物理チャネルである「ＰＤＳＣＨ」により、該当するセル内のユーザ装置１００ｎに送信される。
【００６９】
ＢＣＣＨ/ＤＬ-ＳＣＨ/ＰＤＳＣＨにより送信される報知チャネルは、ダイナミック報知チャネル（Ｄ-ＢＣＨ）と呼ばれてもよい。
【００７０】
上りリンクについては、各ユーザ装置１００ｎで共有して使用されるＰＵＳＣＨ及びＰＵＣＣＨが用いられる。かかるＰＵＳＣＨにより、ユーザデータ、すなわち、通常のデータ信号が伝送される。
【００７１】
また、ＰＵＣＣＨにより、ＰＤＳＣＨのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、ＰＤＳＣＨの送達確認情報（Ａｃｋｎｏｗｌｅｄｇｅｍｅｎｔ  Ｉｎｆｏｒｍａｔｉｏｎ）が伝送される。
【００７２】
かかる下りリンクの品質情報は、ＣＱＩやＰＭＩ（Ｐｒｅ−ｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）をまとめたインディケータであるＣＳＩ（Ｃｈａｎｎｅｌ  Ｓｔａｔｅ  Ｉｎｄｉｃａｔｏｒ）と呼ばれてもよい。
【００７３】
また、かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【００７４】
なお、上述したＣＱＩや送達確認情報の送信タイミングが、ＰＵＳＣＨの送信タイミングと同じである場合には、かかるＣＱＩや送達確認情報を、ＰＵＳＣＨに多重して送信してもよい。
【００７５】
図２に示すように、基地局装置２００は、第１送信部２１と、第２送信部２２と、記憶部２３と、受信部２４とを具備している。
【００７６】
第１送信部２１は、ユーザ装置１００ｎに対して、送信不能な上りリンクの信号の構成を指定する制限情報を送信するように構成されている。
【００７７】
例えば、第１送信部２１は、ＲＲＣメッセージ又は報知情報によって、ユーザ装置１００ｎに対して、かかる制限情報を送信するように構成されていてもよい。
【００７８】
なお、第１送信部２１は、記憶部２３より、かかる送信不能な上りリンクの信号の構成を指定する制限情報を受け取り、前記制限情報をユーザ装置１００ｎに対して送信してもよい。
【００７９】
第２送信部２２は、上りリンクの信号の送信を指示する制御信号を送信するように構成されている。例えば、第２送信部２２は、ＰＤＣＣＨを介して、制御信号として、「上りスケジューリンググラント」を送信するように構成されていてもよい。
【００８０】
なお、第２送信部２２は、記憶部２３より、かかる送信不能な上りリンクの信号の構成を指定する制限情報を受け取り、前記制限情報に基づき、送信不能な上りリンクの信号の構成を指示する制御信号を送信しないという処理を行ってもよい。
【００８１】
言い換えれば、第２送信部２２は、記憶部２３より、かかる送信不能な上りリンクの信号の構成を指定する制限情報を受け取り、前記制限情報に基づき、送信可能な上りリンクの信号の構成を指示する制御信号を送信するという処理を行ってもよい。
【００８２】
この場合、上りスケジューリンググラントにより、ユーザ装置１００ｎに対して上りリンクの送信を指示したものの、前記制限情報により、その上りリンクの送信が行われない、という事象が発生することを防ぐことが可能となるため、システムの効率性を向上させることが可能となる。
【００８３】
ここで、制御信号に含まれる情報は、上りリンクの信号を構成する送信キャリアの数、上りリンクの信号の送信帯域幅、上りリンクの信号の変調方式、上りリンクの信号の送信周波数の少なくとも１つであってもよい。
【００８４】
また、前記制限情報に含まれる情報は、後述するように、上りリンクの信号を構成する送信キャリアの数、上りリンクの信号の送信帯域幅、上りリンクの信号の変調方式、上りリンクの信号の送信周波数、上りリンクの信号の送信電力、上りリンクの信号のチャネル種別、上りリンクの信号の信号種別、満たされるべき不要輻射に関する規定の少なくとも１つであってもよい。
【００８５】
なお、かかる送信帯域幅は、リソースブロックの数として指定されてもよい。ＬＴＥ方式及びＬＴＥ-Ａｄｖａｎｃｅｄ方式における１リソースブロックの送信帯域幅は、１８０ｋＨｚであり、リソースブロックの数が指定されることにより、送信帯域幅が一意に決定される。
【００８６】
また、かかる送信周波数は、リソースブロックの位置として指定されてもよい。一般に、システム帯域の中心周波数、或いは、システム帯域の周波数を指定する情報は、報知情報等によりユーザ装置に通知されているため、前記上りリンクの送信信号に関する、システム帯域内のリソースブロックの位置が指定されることにより、上りリンクの信号の送信周波数が一意に決定される。
【００８７】
上りスケジューリンググラントにより、上りリンクの信号を構成する送信キャリアの数として２以上が指定される場合、上りリンクにおいて、マルチキャリア送信が行われる。
【００８８】
この場合、１つの上りスケジューリンググラントにより、マルチキャリア送信が指示されてもよいし、２つ以上の上りスケジューリンググラントにより、マルチキャリア送信が指示されてもよい。
【００８９】
２つ以上の上りスケジューリンググラントにより、マルチキャリア送信が指示される場合には、それぞれのキャリア送信に対して、１個の上りリンクスケジューリンググラントが対応づけられてもよい。
【００９０】
また、上りリンクにおいては、上りスケジューリンググラントにより、上りリンクの送信がトリガーされる場合と、ＰＵＣＣＨによるＣＱＩ/ＰＭＩ（Ｐｒｅ-ｃｏｄｉｎｇ  Ｉｎｄｉｃａｔｏｒ）/ＲＩ（Ｒａｎｋ  Ｉｎｄｉｃａｔｏｒ）の送信や、ＰＤＳＣＨに対する送達確認情報であるＡＣＫ/ＮＡＣＫの送信等、周期的な上りリンクの信号の送信や、下りリンクの送信をトリガーとした上りリンクの信号の送信が存在する。
【００９１】
本発明に係る上りリンクにおけるマルチキャリア送信は、上りスケジューリンググラントによる上りリンクの信号の送信指示をトリガーとしたマルチキャリア送信だけでなく、上りスケジューリンググラントによる上りリンクの信号の送信指示をトリガーとした上りリンクの信号の送信、周期的な上りリンクの信号の送信、又は、下りリンクの送信をトリガーとした上りリンクの信号の送信の組み合わせによるマルチキャリア送信であってもよい。
【００９２】
上述の組み合わせには、複数の周期的な上りリンクの信号の送信によるマルチキャリア送信、複数の下りリンクの送信をトリガーとした上りリンクの信号の送信によるマルチキャリア送信等が含まれてもよい。
【００９３】
なお、第１送信部２１は、上りリンクの信号を構成する送信キャリアの数が２つ以上であり、かつ、上りリンクの信号の送信帯域幅が所定閾値以下である構成を、送信不能な上りリンクの信号の構成として指定する制限情報を送信するように構成されていてもよい。
【００９４】
記憶部２３は、送信不能な上りリンクの信号の構成に関する情報を記憶するように構成されている。
【００９５】
例えば、記憶部２３は、予め決定されている送信不能な上りリンクの信号の構成に関する情報を記憶するように構成されていてもよい。例えば、予め決定されている送信不能な上りリンクの信号の構成に関する情報とは、移動通信システムにおけるユーザ装置の動作を規定するための仕様の中で、ユーザ装置の動作の一部として定義されていてもよい。
【００９６】
或いは、記憶部２３は、ユーザ装置１００ｎよりＲＲＣメッセージにより通知された送信不能な上りリンクの信号の構成に関する情報を記憶するように構成されていてもよい。この場合、記憶部２３は、かかる制限情報を受信部２４より受け取る。
【００９７】
受信部２４は、ユーザ装置１００ｎから、送信不能な上りリンクの信号の構成を指定する制限情報が送信される場合に、かかる制限情報を受信する。受信部２４は、かかる制限情報を記憶部２３に通知する。
【００９８】
かかる制限情報は、例えば、ＲＲＣメッセージにより通知されてもよい。より具体的には、「ＵＥ  ｃａｐａｂａｉｌｉｔｙ」の一部として送信されてもよいし、「ＵＥ  ｃａｐａｂａｌｉｔｙ」とは異なる情報として送信されてもよい。
【００９９】
図３に示すように、ユーザ装置１００ｎは、制御信号受信部１１と、記憶部１２と、上りリンク信号送信部１３とを具備している。
【０１００】
制御信号受信部１１は、上りリンクの信号（具体的には、ＰＵＳＣＨを介して送信されるデータ信号）の送信を指示する制御信号を受信するように構成されている。
【０１０１】
具体的には、制御信号受信部１１は、ＰＤＣＣＨを介して、制御信号として、「上りスケジューリンググラント」を受信するように構成されていてもよい。
【０１０２】
かかる制御信号は、パラメータとして、上りリンクの信号の送信帯域幅、上りリンクの信号の変調方式、上りリンクの信号の送信周波数の少なくとも１つを含んでいてもよい。
【０１０３】
ここで、上りリンクの信号が、２つ以上の送信キャリアから構成される場合に、かかる制御信号は、パラメータとして、２つ以上の送信キャリアのそれぞれの送信帯域幅、２つ以上の送信キャリアのそれぞれの変調方式、２つ以上の送信キャリアのそれぞれの送信周波数の少なくとも１つを含んでいてもよい。
【０１０４】
記憶部１２は、送信不能な上りリンクの信号の構成に関する情報を記憶するように構成されている。
【０１０５】
例えば、記憶部１２は、基地局装置２００よりＲＲＣメッセージ又は報知情報により通知された送信不能な上りリンクの信号の構成に関する情報を記憶するように構成されていてもよい。
【０１０６】
すなわち、記憶部１２は、基地局装置２００より送信されたＲＲＣメッセージ又は報知情報を受信し、かつ、前記ＲＲＣメッセージ又は報知情報に含まれる、送信不能な上りリンクの信号の構成に関する情報を記憶するように構成されていてもよい。
【０１０７】
或いは、記憶部１２が、基地局装置２００より送信されたＲＲＣメッセージ又は報知情報を受信し、かつ、前記ＲＲＣメッセージ又は報知情報に含まれる、送信不能な上りリンクの信号の構成に関する情報を記憶する代わりに、前記ＲＲＣメッセージ又は報知情報を受信する処理は、ユーザ装置１００ｎ内の記憶部１２以外の機能部で行われ、記憶部１２は、前記ＲＲＣメッセージ又は報知情報に含まれる、送信不能な上りリンクの信号の構成に関する情報を記憶するように構成されていてもよい。
【０１０８】
或いは、記憶部１２は、ユーザ装置１００ｎのＣａｐａｂｉｌｉｔｙにより決定された送信不能な上りリンクの信号の構成に関する情報を記憶するように構成されていてもよい。
【０１０９】
或いは、記憶部１２は、予め決定されている送信不能な上りリンクの信号の構成に関する情報を記憶するように構成されていてもよい。例えば、予め決定されている送信不能な上りリンクの信号の構成に関する情報とは、移動通信システムにおけるユーザ装置の動作を規定するための仕様の中で、ユーザ装置の動作の一部として定義されていてもよい。
【０１１０】
上りリンク信号送信部１３は、基地局装置２００に対して、制御信号受信部１１によって受信された制御信号に基づいて、上りリンクの信号を送信するように構成されている。かかる制御信号とは、上述したように、上りスケジューリンググラントである。
【０１１１】
また、上りリンク信号送信部１３は、後述するように、送信不能な上りリンクの信号の構成を指定する制限情報を、「ＵＥ  ｃａｐａｂｉｌｉｔｙ」として、基地局装置２００に送信してもよい。
【０１１２】
この場合、かかる送信不能な上りリンクの信号の構成を指定する制限情報は、記憶部１２において保持され、上りリンク信号送信部１３が、かかる送信不能な上りリンクの信号の構成を指定する制限情報を送信する際に、記憶部１２から上りリンク信号送信部１３に与えられてもよい。
【０１１３】
ここで、上りリンク信号送信部１３は、制御信号に含まれる情報が予め指定されている内容（すなわち、記憶部１２に記憶されている送信不能な上りリンクの信号の構成に関する情報）と合致する場合に、上りリンクの信号を送信しないように構成されていてもよい。
【０１１４】
言い換えれば、上りリンク信号送信部１３は、制御信号に含まれる情報が予め指定されている内容（すなわち、記憶部１２に記憶されている送信不能な上りリンクの信号の構成に関する情報）と合致しない場合に、すなわち、制御信号に含まれる情報が送信可能な上りリンクの信号の構成に関する情報と合致する場合に、上りリンクの信号を送信するように構成されていてもよい。
【０１１５】
例えば、上りリンク信号送信部１３は、制御信号に含まれる上りリンクの信号を構成する送信キャリアの数が２つ以上であり、かつ、制御信号に含まれる上りリンクの信号の送信帯域幅が所定閾値以下である場合に、上りリンクの信号を送信しない、すなわち、マルチキャリア伝送を行わないように構成されていてもよい。
【０１１６】
また、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアの送信周波数の差が所定閾値以上である場合に、上りリンクの信号を送信しない、すなわち、マルチキャリア伝送を行わないように構成されていてもよい。
【０１１７】
さらに、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアが互いに異なる周波数帯域内の信号である場合に、上りリンクの信号を送信しない、すなわち、マルチキャリア伝送を行わないように構成されていてもよい。
【０１１８】
異なる周波数帯域の信号は、互いに周波数的に離れているため、Ｉｎｔｅｒ  Ｍｏｄｕｌａｔｉｏｎ  Ｐｒｏｄｕｃｔｓが、より離れた周波数領域に生じるため、結果として、他システムへの悪影響が大きくなる。上述した異なる周波数帯域のマルチキャリア送信を避ける処理を行うことにより、上記悪影響を回避することが可能となる。
【０１１９】
或いは、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアが同じ周波数帯域内の信号である場合に、上りリンクの信号を送信しない、すなわち、マルチキャリア伝送を行わないように構成されていてもよい。
【０１２０】
異なる周波数帯域の信号は、異なるＰｏｗｅｒ  Ａｍｐｌｉｆｉｅｒやアンテナから送信される場合がある。この場合、前記Ｐｏｗｅｒ  Ａｍｐｌｉｆｉｅｒやアンテナが互いに十分分離されている場合、Ｉｎｔｅｒ  Ｍｏｄｕｌａｔｉｏｎ  Ｐｒｏｄｕｃｔｓは生じない。
【０１２１】
逆に、同じ周波数帯域の信号は、同じＰｏｗｅｒ  Ａｍｐｌｉｆｉｅｒやアンテナから送信されるため、Ｉｎｔｅｒ  Ｍｏｄｕｌａｔｉｏｎ  Ｐｒｏｄｕｃｔｓが発生し、結果として、他のシステムに悪影響を及ぼすことになる。よって、上述した同じ周波数帯域のマルチキャリア送信を避ける処理を行うことにより、上記悪影響を回避することが可能となる。
【０１２２】
ここで、かかる周波数帯域は、異なる周波数バンド（Ｆｒｅｑｕｅｎｃｙ  Ｂａｎｄ）であってもよい。ＬＴＥ方式或いはＬＴＥ-Ａｄｖａｎｃｅｄ方式における周波数バンドは、３ＧＰＰ  ＴＳ３６.１０１の「５.５  Ｏｐｅｒａｔｉｎｇ  ｂａｎｄｓ」に規定されている。
【０１２３】
例えば、Ｂａｎｄ１における上りリンクの周波数は、１９２０ＭＨｚから１９８０ＭＨｚであり、Ｂａｎｄ６における上りリンクの周波数は、８３０ＭＨｚから８４０ＭＨｚである。
【０１２４】
この場合、中心周波数が１９４０ＭＨｚである送信キャリア（Ｂａｎｄ１内の送信キャリア）と、中心周波数が８３５ＭＨｚである送信キャリア（Ｂａｎｄ６内の送信キャリア）とが同時に送信される場合に、２つの送信キャリアは、互いに異なる周波数帯域内の信号であるとみなされる。
【０１２５】
また、逆に、中心周波数が１９４０ＭＨｚである送信キャリア（Ｂａｎｄ１内の送信キャリア）と、中心周波数が１９６０ＭＨｚである送信キャリア（Ｂａｎｄ１内の送信キャリア）とが同時に送信される場合、２つの送信キャリアは、同一の周波数帯域（周波数バンド）内の信号とみなされる。
【０１２６】
ここで、上りリンク信号送信部１３が、制御信号に含まれる情報が予め指定されている内容（すなわち、記憶部１２に記憶されている送信不能な上りリンクの信号の構成に関する情報）と合致する場合に、上りリンクの信号を送信しないように構成されていることの効果を以下に説明する。
【０１２７】
上述したように、送信不能な上りリンクの信号の構成に関する情報は、基地局装置２００及びユーザ装置１００ｎの両方に保持されている。この場合、基地局装置２００が、送信不能な上りリンクの信号の送信指示を行わないことにより、他システムへの干渉を引き起こすという問題を回避することが可能である。
【０１２８】
しかしながら、上りリンクスケジューリンググラントには、「Ｆａｌｓｅ  Ａｌａｒｍ」という事象が存在し、基地局装置２００が送信していないにも関わらず、ユーザ装置１００ｎは、上りスケジューリンググラントが基地局装置２００により送信されたとみなす場合が存在する。この場合、基地局装置２００が意図していないマルチキャリア送信が行われることになる。
【０１２９】
よって、ユーザ装置１００ｎにおいても、制御信号に含まれる情報が送信不能な上りリンクの信号の構成に関する情報と合致する場合に、上りリンクの信号を送信しないという処理を行うことにより、より確実に他システムへの干渉を回避することが可能となる。
【０１３０】
なお、上述した「Ｆａｌｓｅ  Ａｌａｒｍ」という事象は、例えば、上りスケジューリンググラントに付与されているＣＲＣビットが、たまたまＯＫとなることにより発生する事象である。ＣＲＣビットが１６ビットである場合、その確率は、１/２１６である。
【０１３１】
なお、下りスケジューリング情報に関しても、上りスケジューリンググラントと同様に、Ｆａｌｓｅ  Ａｌａｒｍが発生する。下りスケジューリング情報のＦａｌｓｅ  Ａｌａｒｍは、上りリンクにおいて、下りスケジューリング情報に対応する共有チャネルの送達確認情報の送信をトリガーする。
【０１３２】
なお、上りリンク信号送信部１３は、制御信号に含まれる情報が予め指定されている内容（すなわち、記憶部１２に記憶されている送信不能な上りリンクの信号の構成に関する情報）と合致する場合に、上りリンクの信号を送信しないという処理を行う代わりに、制御信号に含まれる情報の一部に基づいて、上りリンクの信号を送信してもよい。
【０１３３】
より具体的には、制御信号に含まれる上りリンクの信号を構成する送信キャリアの数が２つ以上である場合に、前記２つ以上の送信キャリアの内の１つの送信キャリアのみを用いて上りリンクの信号を送信してもよい。
【０１３４】
この場合、上述の２つ以上の送信キャリアの中から、送信を行う１つの送信キャリアを選択する方法は、任意に選択するという方法であってもよいし、優先度の高い送信キャリアを選択するという方法であってもよいし、「アンカーキャリア（Ａｎｃｈｏｒ  Ｃａｒｒｉｅｒ）」として定義されている送信キャリアを選択するという方法であってもよい。
【０１３５】
ここで、優先度は、制御信号、すなわち、上りスケジューリンググラントにより通知されてもよいし、報知情報又はＲＲＣメッセージにより、基地局装置からユーザ装置に対して通知されてもよい。
【０１３６】
或いは、かかる優先度は、予め決められた優先度であってもよい。ここで、かかる優先度が、上りスケジューリンググラントにより通知される場合、前記上りスケジューリンググラントの情報要素として、各送信キャリアの優先度が定義されてもよい。
【０１３７】
また、かかる優先度が、報知情報又はＲＲＣメッセージにより、基地局装置からユーザ装置に対して通知される場合、例えば、周波数帯域（周波数バンド）毎に優先度が通知されてもよい。
【０１３８】
かかる優先度が、予め決められた優先度である場合、例えば、チャネル毎、或いは、信号の種類毎に定義された優先度であってもよい。より具体的には、ＡＣＫ/ＮＡＣＫは、ＣＱＩやＰＵＳＣＨよりも優先度が高い、といった優先度や、ＰＵＣＣＨはＰＵＳＣＨよりも優先度が高い、といった優先度や、ＡＣＫ/ＮＡＣＫは、Ｓｏｕｎｄｉｎｇ  Ｒｅｆｅｒｅｎｃｅ  Ｓｉｇｎａｌ（Ｓｏｕｎｄｉｎｇ  ＲＳ）よりも優先度が高い、といった優先度であってもよい。
【０１３９】
なお、上述のチャネルに、例えば、ＰＵＣＣＨ、ＰＲＡＣＨ、ＰＵＳＣＨ等が含まれてもよい。また、上述の信号に、例えば、ＡＣＫ/ＮＡＣＫ、ＣＱＩ、Ｓｃｈｅｄｕｌｉｎｇ  Ｒｅｑｕｅｓｔ、Ｓｏｕｎｄｉｎｇ  ＲＳ等が含まれてよい。
【０１４０】
また、上述したアンカーキャリアは、２つ以上の「Ｃｏｍｐｏｎｅｎｔ  Ｃａｒｒｉｅｒ」を用いた通信を行う場合の、メインの「Ｃｏｍｐｏｎｅｎｔ  Ｃａｒｒｉｅｒ」であってもよい。例えば、ユーザ装置１００ｎは、アンカーキャリアを用いて、報知情報の受信や、ＲＲＣメッセージを用いた呼設定や、チャネルの設定を行うといった処理を行ってもよい。
【０１４１】
なお、上述した「送信不能な上りリンクの信号の構成」を指定する制限情報の詳細例を以下に示す。
【０１４２】
例えば、図４に示すように、各インデックスに対応する「送信不能な上りリンクの信号の構成」が予め定義されてもよい。
【０１４３】
例えば、インデックス＃１は、ユーザ装置１００ｎに対して、マルチキャリア送信に関する制約がないことを示すインデックスである。
【０１４４】
送信不能な上りリンクの信号の構成を指定する制限情報がインデックス＃１である場合、ユーザ装置１００ｎの上りリンク信号送信部１３は、特に制約がないと看做し、マルチキャリア送信を行う、すなわち、上りスケジューリンググラントに基づいて、上りリンクの送信を行う。
【０１４５】
例えば、インデックス＃２は、２つ以上の送信キャリアを用いた上りリンクの送信を制限する（禁止する）ことを示すインデックスである。
【０１４６】
送信不能な上りリンクの信号の構成を指定する制限情報がインデックス＃２である場合、ユーザ装置１００ｎの上りリンク信号送信部１３は、２つ以上の送信キャリアを用いた上りリンクの送信を指示された場合に、上りリンクの信号を送信しない。
【０１４７】
例えば、インデックス＃３は、２つ以上の送信キャリアを用いた上りリンクの送信であり、かつ、各送信キャリアの変調方式が６４ＱＡＭである場合の上りリンクの信号の送信を制限する（禁止する）ことを示すインデックスである。
【０１４８】
送信不能な上りリンクの信号の構成を指定する制限情報がインデックス＃３である場合、ユーザ装置１００ｎの上りリンク信号送信部１３は、２つ以上の送信キャリアを用いた上りリンクの送信であり、かつ、各送信キャリアの変調方式が６４ＱＡＭである上りリンクの信号の送信を指示された場合に、上りリンクの信号を送信しない。
【０１４９】
なお、上述した６４ＱＡＭという値は一例であり、ＱＰＳＫや１６ＱＡＭ、８ＰＳＫ等であってもよい。また、２つ以上の送信キャリアのうち、少なくとも１つの送信キャリアの変調方式が６４ＱＡＭである場合に、上りリンクの信号を送信しないという処理を行ってもよいし、２つ以上の送信キャリアのうち、全ての送信キャリアの変調方式が６４ＱＡＭである場合に、上りリンクの信号を送信しないという処理を行ってもよい。
【０１５０】
例えば、インデックス＃４は、３つ以上の送信キャリアを用いた上りリンクの送信を制限する（禁止する）ことを示すインデックスである。
【０１５１】
送信不能な上りリンクの信号の構成を指定する制限情報がインデックス＃４である場合、ユーザ装置１００ｎの上りリンク信号送信部１３は、３つ以上の送信キャリアを用いた上りリンクの送信を指示された場合に、上りリンクの信号を送信しない。
【０１５２】
なお、インデックス＃２又は＃４における送信キャリアの数「２」や「３」といった値は一例であり、それ以外の値であってもよい。
【０１５３】
例えば、インデックス＃５は、２つ以上の送信キャリアを用いた上りリンクの送信であり、かつ、各送信キャリアの帯域幅が３６０ｋＨｚ以下である場合の上りリンクの送信を制限する（禁止する）ことを示すインデックスである。
【０１５４】
送信不能な上りリンクの信号の構成を指定する制限情報がインデックス＃５である場合、ユーザ装置１００ｎの上りリンク信号送信部１３は、２つ以上の送信キャリアを用いた上りリンクの送信であり、かつ、各送信キャリアの帯域幅が３６０ｋＨｚ以下である場合に、上りリンクの信号を送信しない。
【０１５５】
なお、上述した３６０ｋＨｚという値は一例であり、３６０ｋＨｚ以外の値であってもよい。また、３６０ｋＨｚという値の代わりに、２リソースブロックという値が用いられてもよい。なお、ＬＴＥ方式及びＬＴＥ-Ａｄｖａｎｃｅｄ方式においては、１リソースブロックの送信帯域幅は１８０ｋＨｚである。すなわち、周波数帯域の大きさを指定することのできるメトリックであれば、３６０ｋＨｚ以外の値が用いられてもよい。
【０１５６】
例えば、インデックス＃６は、２つ以上の送信キャリアを用いた上りリンクの送信であり、かつ、上記２つ以上の送信キャリアの内、少なくとも１つの送信キャリアの帯域幅が３６０ｋＨｚ以下である場合の上りリンクの送信を制限する（禁止する）ことを示すインデックスである。
【０１５７】
送信不能な上りリンクの信号の構成を指定する制限情報がインデックス＃６である場合、ユーザ装置１００ｎの上りリンク信号送信部１３は、２つ以上の送信キャリアを用いた上りリンクの送信であり、かつ、上記２つ以上の送信キャリアの内、少なくとも１つの送信キャリアの帯域幅が３６０ｋＨｚ以下である場合に、上りリンクの信号を送信しない。
【０１５８】
なお、上述した３６０ｋＨｚという値は一例であり、３６０ｋＨｚ以外の値であってもよい。また、３６０ｋＨｚという値の代わりに、２リソースブロックという値が用いられてもよい。なお、ＬＴＥ方式及びＬＴＥ-Ａｄｖａｎｃｅｄ方式においては、１リソースブロックの送信帯域幅は１８０ｋＨｚである。すなわち、周波数帯域の大きさを指定することのできるメトリックであれば、３６０ｋＨｚ以外の値が用いられてもよい。
【０１５９】
例えば、インデックス＃７は、２つ以上の送信キャリアを用いた上りリンクの送信であり、かつ、上記２つ以上の送信キャリアが、異なる周波数帯域で送信される場合の上りリンクの送信を制限する（禁止する）ことを示すインデックスである。
【０１６０】
送信不能な上りリンクの信号の構成を指定する制限情報がインデックス＃７である場合、ユーザ装置１００ｎの上りリンク信号送信部１３は、２つ以上の送信キャリアを用いた上りリンクの送信であり、かつ、上記２つ以上の送信キャリアが、異なる周波数帯域で送信される場合に、上りリンクの信号を送信しない。
【０１６１】
例えば、インデックス＃８は、２つ以上の送信キャリアを用いた上りリンクの送信であり、かつ、上記２つ以上の送信キャリアの周波数間隔が、１０ＭＨｚ以上である場合の上りリンクの送信を制限する（禁止する）ことを示すインデックスである。
【０１６２】
送信不能な上りリンクの信号の構成を指定する制限情報がインデックス＃８である場合、ユーザ装置１００ｎの上りリンク信号送信部１３は、２つ以上の送信キャリアを用いた上りリンクの送信であり、かつ、上記２つ以上の送信キャリアの周波数間隔が、１０ＭＨｚ以上である場合に、上りリンクの信号を送信しない。なお、上述した１０ＭＨｚという値は一例であり、それ以外の値であってもよい。
【０１６３】
例えば、インデックス＃９は、２つ以上の送信キャリアを用いた上りリンクの送信であり、かつ、上記２つ以上の送信キャリアの周波数間隔が１０ＭＨｚ以上であり、かつ、上記２つ以上の送信キャリアの内、少なくとも１つの送信キャリアの帯域幅が３６０ｋＨｚ以下である場合の上りリンクの送信を制限する（禁止する）ことを示すインデックスである。
【０１６４】
送信不能な上りリンクの信号の構成を指定する制限情報がインデックス＃９である場合、ユーザ装置１００ｎの上りリンク信号送信部１３は、２つ以上の送信キャリアを用いた上りリンクの送信であり、かつ、上記２つ以上の送信キャリアの周波数間隔が１０ＭＨｚ以上であり、かつ、上記２つ以上の送信キャリアの内、少なくとも１つの送信キャリアの帯域幅が３６０ｋＨｚ以下である場合に、上りリンクの信号を送信しない。
【０１６５】
例えば、インデックス＃１０は、２つ以上の送信キャリアを用いた上りリンクの送信であり、かつ、上記２つ以上の送信キャリアの周波数間隔が、１０ＭＨｚ以上であり、かつ、各送信キャリアの送信電力が１５ｄＢｍ以上である場合の上りリンクの送信を制限する（禁止する）ことを示すインデックスである。
【０１６６】
送信不能な上りリンクの信号の構成を指定する制限情報がインデックス＃１０である場合、ユーザ装置１００ｎの上りリンク信号送信部１３は、２つ以上の送信キャリアを用いた上りリンクの送信であり、かつ、各送信キャリアの送信電力が１５ｄＢｍ以上である場合に、上りリンクの信号を送信しない。なお、上述した１５ｄＢｍという値は一例であり、上記以外の値であってもよい。
【０１６７】
すなわち、インデックスが＃１０である場合、ユーザ装置１００ｎは、各送信キャリアの送信電力が所定の閾値以上である場合に、該上りリンクの信号の構成を、送信不能な上りリンクの信号の構成と看做し、かかる上りリンクの信号を送信しないという処理を行ってもよい。
【０１６８】
例えば、インデックス＃１１は、２つ以上の送信キャリアを用いた上りリンクの送信であり、かつ、各送信キャリアで送信するチャネル又は信号が所定のチャネル種別又は所定の信号種別である場合の上りリンクの送信を制限する（禁止する）ことを示すインデックスである。
【０１６９】
送信不能な上りリンクの信号の構成を指定する制限情報がインデックス＃１１である場合、ユーザ装置１００ｎの上りリンク信号送信部１３は、２つ以上の送信キャリアを用いた上りリンクの送信であり、かつ、各送信キャリアで送信するチャネル又は信号が所定のチャネル種別又は所定の信号種別である場合に、上りリンクの信号を送信しない。
【０１７０】
なお、所定のチャネル種別とは、例えば、ＰＵＣＣＨやＰＵＳＣＨやＰＲＡＣＨ等である。また、所定の信号種別とは、ＣＱＩやＡＣＫ/ＮＡＣＫ、Ｓｃｈｅｄｕｌｉｎｇ  ｒｅｑｕｅｓｔ、Ｓｏｕｎｄｉｎｇ  ＲＳ等である。
【０１７１】
より具体的には、例えば、２つの送信キャリアのうち、１つの送信キャリアでＰＵＣＣＨが送信され、もう１つの送信キャリアでＰＵＳＣＨが送信される場合に、送信不能な上りリンクの信号の構成と看做して、上りリンクの信号を送信しないという処理を行ってもよい。
【０１７２】
すなわち、インデックスが＃１１である場合、ユーザ装置１００ｎは、各送信キャリアのチャネル又は信号が所定のチャネル種別又は所定の信号種別である場合に、該上りリンクの信号の構成を、送信不能な上りリンクの信号の構成と看做し、かかる上りリンクの信号を送信しないという処理を行ってもよい。
【０１７３】
すなわち、図４において示したように、送信キャリアの数と、各送信キャリアの送信電力と、送信帯域幅と、送信周波数、送信電力、送信に用いられるチャネル種別或いは信号種別、の内の少なくとも１つに関する情報に基づいて、前記インデックスが定義されてもよい。
【０１７４】
或いは、例えば、図５に示すように、各インデックスに対応する「送信不能な上りリンクの信号の構成」が予め定義されてもよい。
【０１７５】
図５のインデックス＃１、＃２、＃３に関しては、それぞれ、図４のインデックス＃１、＃２、＃３と同一であるため、その説明を省略する。
【０１７６】
例えば、インデックス＃４は、２つ以上の送信キャリアを用いた上りリンクの送信であり、かつ、所定のスプリアスエミッション規定を満たすことができない場合の上りリンクの送信を制限する（禁止する）ことを示すインデックスである。
【０１７７】
送信不能な上りリンクの信号の構成を指定する制限情報がインデックス＃４である場合、ユーザ装置１００ｎの上りリンク信号送信部１３は、２つ以上の送信キャリアを用いた上りリンクの送信であり、かつ、所定のスプリアスエミッション規定を満たすことができない場合に、上りリンクの信号を送信しない。なお、前記スプリアスエミッション規定とは、例えば、ＰＨＳシステムに対するスプリアスエミッション規定であってもよい。
【０１７８】
例えば、インデックス＃５は、２つ以上の送信キャリアを用いた上りリンクの送信であり、かつ、所定のスペクトラムエミッションマスク規定を満たすことができない場合の上りリンクの送信を制限する（禁止する）ことを示すインデックスである。
【０１７９】
送信不能な上りリンクの信号の構成を指定する制限情報がインデックス＃５である場合、ユーザ装置１００ｎの上りリンク信号送信部１３は、２つ以上の送信キャリアを用いた上りリンクの送信であり、かつ、所定のスペクトラムエミッションマスク規定を満たすことができない場合に、上りリンクの信号を送信しない。
【０１８０】
例えば、インデックス＃６は、２つ以上の送信キャリアを用いた上りリンクの送信であり、かつ、所定のＡＣＬＲ（Ａｄｊａｃｅｎｔ  Ｃａｒｒｉｅｒ  Ｌｅａｋａｇｅ  Ｒａｔｉｏ）規定を満たすことができない場合の上りリンクの送信を制限する（禁止する）ことを示すインデックスである。
【０１８１】
送信不能な上りリンクの信号の構成を指定する制限情報がインデックス＃６である場合、ユーザ装置１００ｎの上りリンク信号送信部１３は、２つ以上の送信キャリアを用いた上りリンクの送信であり、かつ、所定のＡＣＬＲ規定を満たすことができない場合に、上りリンクの信号を送信しない。
【０１８２】
すなわち、図５において示したように、送信キャリアの数と、満たされるべき不要輻射の規定、すなわち、スプリアスエミッション規定、スペクトラムエミッションマスク規定、ＡＣＬＲ規定の少なくとも１つに関する情報に基づいて、前記インデックスが定義されてもよい。
【０１８３】
なお、上述した例では、満たされるべき規定は、スプリアスエミッション規定、スペクトラムエミッションマスク規定、ＡＣＬＲ規定であるが、代わりに、下りリンクの受信感度の規定であってもよい。
【０１８４】
この場合、上りリンクの信号に起因する不要波が、移動機内部の自干渉、すなわち、Ｓｅｌｆ  Ｉｎｔｅｒｆｅｒｅｎｃｅ、或いは、Ｄｅ-ｓｅｎｓｅにより、下りリンクの受信感度を劣化させることを避けることが可能となる。
【０１８５】
或いは、図４と図５の情報の組み合わせで、前記インデックスが定義されてもよい。すなわち、送信キャリアの数と、各送信キャリアの送信電力と、送信帯域幅と、送信周波数、送信電力、送信に用いられるチャネル種別或いは信号種別、満たされるべき不要輻射の規定の内の少なくとも１つに関する情報に基づいて、前記インデックスが定義されてもよい。
【０１８６】
なお、上述したインデックス及び各インデックスに対応する情報は、基地局装置２００及びユーザ装置１００ｎにおいて、予め決められた情報として保持されていてもよい。
【０１８７】
或いは、各インデックスに対応する情報のみが、基地局装置２００及びユーザ装置１００ｎにおいて、予め決められた情報として保持され、上述のインデックスが、基地局装置２００からユーザ装置１００ｎに対して、報知情報又はＲＲＣメッセージにより通知されてもよい。
【０１８８】
なお、上述したインデックス及び各インデックスに対応する情報は一例であり、送信不能な上りリンクの信号の構成を指定する制限情報が通知されるのであれば、どのような形態のシグナリングであってもよい。
【０１８９】
或いは、各インデックスに対応する情報のみが、基地局装置２００及びユーザ装置１００ｎにおいて、予め決められた情報として保持され、前記インデックスが、ユーザ装置１００ｎから基地局装置２００対して、ＲＲＣメッセージにより通知されてもよい。
【０１９０】
なお、上述したインデックス及び各インデックスに対応する情報は一例であり、送信不能な上りリンクの信号の構成を指定する制限情報が通知されるのであれば、どのような形態のシグナリングであってもよい。
【０１９１】
（本発明の第１の実施形態に係る移動通信システムの動作）
図６を参照して、本発明の第１の実施形態に係る移動通信システムの動作について説明する。
【０１９２】
図６に示すように、ステップＳ１００１において、基地局装置２００は、ユーザ装置１００ｎに対して、送信不能な上りリンクの信号の構成を指定する制限情報を送信し、ステップＳ１００２において、ユーザ装置１００ｎは、かかる制限情報に基づいて、記憶部１２に、送信不能な上りリンクの信号の構成に関する情報を記憶する。
【０１９３】
ステップＳ１０１０において、基地局装置２００は、スケジューリング対象のユーザ装置１００ｎに対して、ＰＤＣＣＨを介して、制御信号（上りスケジューリンググラント）を送信する。
【０１９４】
ステップＳ１０１１において、かかるユーザ装置１００ｎは、制御信号に含まれる情報が、予め指定されている内容（すなわち、記憶部１２に記憶されている送信不能な上りリンクの信号の構成に関する情報）と合致するか否かについて判定する。
【０１９５】
かかるユーザ装置１００ｎは、制御信号に含まれる情報が、予め指定されている内容（すなわち、記憶部１２に記憶されている送信不能な上りリンクの信号の構成に関する情報）と合致しないと判定した場合、ステップＳ１０１２において、制御信号（上りスケジューリンググラント）によって割り当てられたリソースを用いたＰＵＳＣＨを介して、上りリンクの信号を送信する。
【０１９６】
例えば、制御信号に含まれる上りリンクの信号を構成する送信キャリアの数が２つ以上である場合には、ユーザ装置１００ｎは、制御信号に含まれる上りリンクの信号の送信帯域幅が所定閾値以下でない場合に、マルチキャリア伝送によって、上りリンクの信号を送信してもよい。
【０１９７】
また、制御信号に含まれる上りリンクの信号を構成する送信キャリアの数が２つ以上である場合には、ユーザ装置１００ｎは、制御信号に含まれる上りリンクの信号の送信帯域幅が所定閾値以下でない場合、或いは、制御信号に含まれる上りリンクの信号を構成する２つ以上の送信キャリアの送信周波数の差が所定閾値以上でない場合に、マルチキャリア伝送によって、上りリンクの信号を送信してもよい。
【０１９８】
さらに、制御信号に含まれる上りリンクの信号を構成する送信キャリアの数が２つ以上である場合には、ユーザ装置１００ｎは、制御信号に含まれる上りリンクの信号の送信帯域幅が所定閾値以下でない場合、或いは、制御信号に含まれる上りリンクの信号を構成する２つ以上の送信キャリアが互いに異なる周波数帯域内の信号でない場合に、マルチキャリア伝送によって、上りリンクの信号を送信してもよい。
【０１９９】
一方、かかるユーザ装置１００ｎは、制御信号に含まれる情報が、予め指定されている内容（すなわち、記憶部１２に記憶されている送信不能な上りリンクの信号の構成に関する情報）と合致すると判定した場合、制御信号（上りスケジューリンググラント）によって割り当てられたリソースを用いたＰＵＳＣＨを介して、上りリンクの信号を送信しない。
【０２００】
例えば、ユーザ装置１００ｎは、制御信号に含まれる上りリンクの信号を構成する送信キャリアの数が２つ以上であり、かつ、制御信号に含まれる上りリンクの信号の送信帯域幅が所定閾値以下である場合に、上りリンクの信号を送信しない、すなわち、マルチキャリア伝送を行わなくてもよい。
【０２０１】
また、ユーザ装置１００ｎは、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアの送信周波数の差が所定閾値以上である場合に、上りリンクの信号を送信しない、すなわち、マルチキャリア伝送を行わなくてもよい。
【０２０２】
さらに、ユーザ装置１００ｎは、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアが互いに異なる周波数帯域内の信号である場合に、上りリンクの信号を送信しない、すなわち、マルチキャリア伝送を行わなくてもよい。
【０２０３】
なお、上述したステップＳ１００１、Ｓ１００２、Ｓ１０１０、Ｓ１０１１、Ｓ１０１２の処理において、ステップＳ１００１は行われなくてもよい。この場合、例えば、ユーザ装置１００ｎは、予め決められた制限情報を保持し、ステップＳ１００２において、前記予め決められた制限情報に基づいて、記憶部１２に、送信不能な上りリンクの信号の構成に関する情報を記憶してもよい。
【０２０４】
図７を参照して、本発明の第１の実施形態に係る移動通信システムの別の動作について説明する。
【０２０５】
図６においては、基地局装置２００が、ユーザ装置１００ｎに対して、送信不能な上りリンクの信号の構成を指定する制限情報を送信したが、図７においては、代わりに、ユーザ装置１００ｎが、基地局装置２００に対して、送信不能な上りリンクの信号の構成を指定する制限情報を送信する。
【０２０６】
図７に示すように、ステップＳ２００１において、ユーザ装置１００ｎは、基地局装置２００に対して、送信不能な上りリンクの信号の構成を指定する制限情報を送信する。
【０２０７】
ステップＳ２００２において、ユーザ装置１００ｎは、基地局装置２００に対して送信した、かかる制限情報に基づいて、記憶部１２に、送信不能な上りリンクの信号の構成に関する情報を記憶する。
【０２０８】
ステップＳ２０１０、ステップＳ２０１１、ステップＳ２０１２に関する説明は、それぞれ、ステップＳ１０１０、ステップＳ１０１１、ステップＳ１０１２と同一であるため、省略する。
【０２０９】
なお、上述の送信不能な上りリンクの信号の構成を指定する制限情報は、「ＵＥ  ｃａｐａｂａｉｌｉｔｙ」の一部として送信されてもよいし、「ＵＥ  ｃａｐａｂａｌｉｔｙ」とは異なる情報として送信されてもよい。
【０２１０】
一般に、ユーザ装置は、ハンドセットのような大きさやバッテリーの持ち時間、端末コストに対して高い要求条件が適用されるものと、ＰＣ内蔵の通信デバイスのように、大きさやバッテリーの持ち時間、端末コストに対して低い要求条件が適用されるものが存在するため、ＡＣＬＲ規定やスプリアス発射規定を満たすために高価なＰｏｗｅｒ  ａｍｐｌｉｆｉｅｒを搭載することが可能である場合と、可能でない場合が存在する。
【０２１１】
よって、前記送信不能な上りリンクの信号の構成を指定する制限情報を、ユーザ装置から基地局装置に対して、「ＵＥ  ｃａｐａｂｉｌｉｔｙ」として通知することにより、上述した、様々な要求条件毎に対して、最適な通信を提供することが可能となる。
【０２１２】
すなわち、ハンドセットのような、コストやサイズ、バッテリーの持ち時間に対して高い要求条件が適用される端末に対しては、マルチキャリア送信を禁止し、低価格なＰｏｗｅｒ  ａｍｐｒｉｆｉｅｒでもＬＴＥ-Ａｖａｎｃｅｄ方式を用いた通信を行うことを可能とし、ＰＣ内蔵の端末のような、コストやサイズ、バッテリーの持ち時間に対して高い要求条件が適用される端末に対しては、マルチキャリア送信を可能とすることにより、マルチキャリア送信によるスループットの増大等の伝送特性の向上を実現することが可能となる。
【０２１３】
また、上述したように、マルチキャリア送信が可能であるか否かは、端末のコストやサイズに依存する。これは、ある端末は、ＡＣＬＲやＳＥＭ、スプリアスエミッションの規定を満たしつつ、マルチキャリア送信が可能であるが、別の端末は、マルチキャリア送信を行う場合には、ＡＣＬＲやＳＥＭ、スプリアスエミッションの規定を満たさない場合がある。
【０２１４】
この場合、上述した、「制御信号に含まれる情報が、予め指定されている内容（すなわち、送信不能な上りリンクの信号の構成に関する情報）と合致すると判定した場合に、上りリンクの信号を送信しない」という動作は、上りリンクの信号を送信しなくてもよい、という動作であってもよい。
【０２１５】
この場合、移動局は、上りリンクの信号を送信する、すなわち、マルチキャリア送信を行うのであれば、例えば、ＡＣＬＲやＳＥＭ、スプリアスエミッションの規定を満たさなければならない。
【０２１６】
（本発明の第１の実施形態に係る移動通信システムの作用・効果）
本発明の第１の実施形態に係る移動通信システムによれば、ユーザ装置１００ｎは、制御信号に含まれる情報が、予め指定されている内容（すなわち、送信不能な上りリンクの信号の構成に関する情報）と合致すると判定した場合には、上りリンクの信号を送信しない、すなわち、マルチキャリア伝送を行わないように構成されているため、他システムへの干渉を低減しつつ、マルチキャリア伝送による伝送特性の増大効果を実現することができる。
【０２１７】
また、かかる制限情報、すなわち、送信不能な上りリンクの信号の構成に関する情報を報知情報やＲＲＣメッセージにより通知することにより、地域毎、或いは、国毎に適切な方法で、他システムへの干渉を低減しつつ、マルチキャリア伝送による伝送特性の増大効果を実現することが可能な移動通信システムを提供することが可能となる。
【０２１８】
以下に、本作用・効果を詳しく説明する。
【０２１９】
上述したように、本発明の目的の１つは、他システムへの干渉を低減しつつ、マルチキャリア伝送による伝送特性の増大効果を実現することである。ここで、前記他システムは、一般に、地域毎、国毎に異なる場合が多い。
【０２２０】
例えば、ＰＨＳシステムは、日本には存在するが、ヨーロッパやアメリカには存在しない。よって、マルチキャリア送信を行うことにより、ＰＨＳシステムに干渉を与える場合でも、ヨーロッパやアメリカではマルチキャリア送信を送信不能な上りリンクの信号の構成とみなす必要はない、すなわち、ＰＨＳシステムに干渉を与えうるマルチキャリア送信を行うことが可能となる。
【０２２１】
逆に、ＰＨＳシステムが存在する日本においては、ＰＨＳシステムに干渉を与えるため、マルチキャリア送信を送信不能な上りリンクの信号の構成とみなす必要がある、すなわち、ＰＨＳシステムに干渉を与えうるマルチキャリア送信を禁止する必要がある。
【０２２２】
以上の理由から、上述した制限情報を、報知情報又はＲＲＣメッセージにより、基地局装置２００からユーザ装置１００ｎに通知することにより、地域毎、或いは、国毎に適切な方法で、他システムへの干渉を低減しつつ、マルチキャリア伝送による伝送特性の増大効果を実現することが可能な移動通信システムを提供することが可能となる。
【０２２３】
以上に述べた本実施形態の特徴は、以下のように表現されていてもよい。
【０２２４】
本実施形態の第１の特徴は、移動通信システム１０００内で基地局装置２００と無線通信するユーザ装置１００ｎであって、上りリンクの信号の送信を指示する制御信号を受信するように構成されている制御信号受信部１１と、基地局装置２００に対して、制御信号に基づいて、上りリンクの信号を送信するように構成されている上りリンク信号送信部１３とを具備し、上りリンク信号送信部１３は、制御信号に含まれる情報が予め指定されている内容と合致する場合に、上りリンクの信号を送信しないように構成されていることを要旨とする。
【０２２５】
本実施形態の第１の特徴において、予め指定されている内容は、上りリンクの信号を構成する送信キャリアの数、上りリンクの信号の送信帯域幅、上りリンクの信号の変調方式、上りリンクの信号の送信周波数、該上りリンクの信号の送信電力、該上りリンクの信号のチャネル種別、該上りリンクの信号の信号種別、満たされるべき不要輻射に関する規定の少なくとも１つであってもよい。
【０２２６】
なお、前記予め指定されている内容は、上述した制限情報により通知される情報に対応する。すなわち、前記予め指定されている内容は、送信不能な上りリンクの信号の構成に関する情報に対応する。
【０２２７】
本実施形態の第１の特徴において、満たされるべき不要輻射に関する規定は、スプリアスエミッション規定、スペクトラムエミッション規定、ＡＣＬＲ規定の少なくとも１つであってもよい。
【０２２８】
本実施形態の第１の特徴において、上りリンク信号送信部１３は、制御信号に含まれる上りリンクの信号を構成する送信キャリアの数が２つ以上であり、かつ、制御信号に含まれる上りリンクの信号の送信帯域幅が所定閾値以下である場合に、上りリンクの信号を送信しないように構成されていてもよい。
【０２２９】
本実施形態の第１の特徴において、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアの送信周波数の差が所定閾値以上である場合に、上りリンクの信号を送信しないように構成されていてもよい。
【０２３０】
本実施形態の第１の特徴において、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアが互いに異なる周波数帯域内の信号である場合に、上りリンクの信号を送信しないように構成されていてもよい。
【０２３１】
本実施形態の第１の特徴において、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアが同じ周波数帯域内の信号である場合に、上りリンクの信号を送信しないように構成されていてもよい。
【０２３２】
本実施形態の第１の特徴において、上りリンク信号は、上りスケジューリンググラントによる上りリンクの信号、周期的な上りリンクの信号、下りリンクの送信をトリガーとした上りリンクの信号の少なくとも１つであってもよい。
【０２３３】
本実施形態の第１の特徴において、予め指定されている内容は、基地局装置２００より、ＲＲＣメッセージ又は報知情報により通知されていてもよい。
【０２３４】
本実施形態の第１の特徴において、予め指定されている内容は、ユーザ装置１００ｎのＣａｐａｂｉｌｉｔｙにより決定されてもよい。
【０２３５】
本実施形態の第１の特徴において、予め指定されている内容を、基地局装置２００に対して通知してもよい。
【０２３６】
本実施形態の第２の特徴は、移動通信システム１０００内で基地局装置２００と無線通信するユーザ装置１００ｎであって、上りリンクの信号の送信を指示する制御信号を受信するように構成されている制御信号受信部１１と、基地局装置２００に対して、制御信号に基づいて、上りリンクの信号を送信するように構成されている上りリンク信号送信部１３とを具備し、上りリンク信号送信部１３は、制御信号に含まれる情報が予め指定されている内容と合致する場合に、上りリンクの信号の一部を送信するように構成されていることを要旨とする。
【０２３７】
本実施形態の第２の特徴において、予め指定されている内容は、上りリンクの信号を構成する送信キャリアの数、上りリンクの信号の送信帯域幅、上りリンクの信号の変調方式、上りリンクの信号の送信周波数、該上りリンクの信号の送信電力、該上りリンクの信号のチャネル種別、該上りリンクの信号の信号種別、満たされるべき不要輻射に関する規定の少なくとも１つであってもよい。
【０２３８】
なお、予め指定されている内容は、上述した制限情報により通知される情報に対応する。すなわち、前記予め指定されている内容は、送信不能な上りリンクの信号の構成に関する情報に対応する。
【０２３９】
本実施形態の第２の特徴において、満たされるべき不要輻射に関する規定は、スプリアスエミッション規定、スペクトラムエミッション規定、ＡＣＬＲ規定の少なくとも１つであってもよい。
【０２４０】
本実施形態の第２の特徴において、上りリンク信号送信部１３は、制御信号に含まれる上りリンクの信号を構成する送信キャリアの数が２つ以上であり、かつ、制御信号に含まれる上りリンクの信号の送信帯域幅が所定閾値以下である場合に、上りリンクの信号の一部を送信するように構成されていてもよい。
【０２４１】
本実施形態の第２の特徴において、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアの送信周波数の差が所定閾値以上である場合に、上りリンクの信号の一部を送信するように構成されていてもよい。
【０２４２】
本実施形態の第２の特徴において、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアが互いに異なる周波数帯域内の信号である場合に、上りリンクの信号の一部を送信するように構成されていてもよい。
【０２４３】
本実施形態の第２の特徴において、上りリンク信号送信部１３は、制御信号に含まれる上りリンクの信号を構成する送信キャリアの数が２つ以上であり、制御信号に含まれる上りリンクの信号の送信帯域幅が所定閾値以下であり、かつ、制御信号に含まれる上りリンクの信号を構成する２つ以上の送信キャリアが同じ周波数帯域内の信号である場合に、上りリンクの信号の一部を送信するように構成されていてもよい。
【０２４４】
本実施形態の第２の特徴において、上りリンク信号は、上りスケジューリンググラントによる上りリンクの信号、周期的な上りリンクの信号、下りリンクの送信をトリガーとした上りリンクの信号の少なくとも１つであってもよい。
【０２４５】
本実施形態の第２の特徴において、予め指定されている内容は、基地局装置２００より、ＲＲＣメッセージ又は報知情報により通知されていてもよい。
【０２４６】
本実施形態の第２の特徴において、予め指定されている内容は、ユーザ装置１００ｎのＣａｐａｂｉｌｉｔｙにより決定されてもよい。
【０２４７】
本実施形態の第２の特徴において、予め指定されている内容を、基地局装置２００に対して通知してもよい。
【０２４８】
本実施形態の第３の特徴は、移動通信システム１０００内でユーザ装置１００ｎと無線通信する基地局装置２００であって、ユーザ装置１００ｎに対して、送信不能な上りリンクの信号の構成を指定する制限情報を送信するように構成されている第１送信部２１と、上りリンクの信号の送信を指示する制御信号を送信するように構成されている第２送信部２２とを具備することを要旨とする。
【０２４９】
本実施形態の第３の特徴において、送信不能な上りリンクの信号の構成を指定する制限情報は、上りリンクの信号を構成する送信キャリアの数、上りリンクの信号の送信帯域幅、上りリンクの信号の変調方式、上りリンクの信号の送信周波数、該上りリンクの信号の送信電力、該上りリンクの信号のチャネル種別、該上りリンクの信号の信号種別、満たされるべき不要輻射に関する規定の少なくとも１つであってもよい。
【０２５０】
本実施形態の第３の特徴において、第１送信部２１は、上りリンクの信号を構成する送信キャリアの数が２つ以上であり、かつ、上りリンクの信号の送信帯域幅が所定閾値以下である構成を、送信不能な上りリンクの信号の構成として指定する制限情報を送信するように構成されていてもよい。
【０２５１】
本実施形態の第４の特徴は、移動通信システム１０００内でユーザ装置１００ｎと基地局装置２００との間の無線通信を制御する通信制御方法であって、上りリンクの信号の送信を指示する制御信号を受信する工程Ａと、基地局装置２００に対して、制御信号に基づいて、上りリンクの信号を送信する工程Ｂとを備え、工程Ｂにおいて、制御信号に含まれる情報が予め指定されている内容と合致する場合に、上りリンクの信号を送信しないことを要旨とする。
【０２５２】
本実施形態の第５の特徴は、移動通信システム１０００内でユーザ装置１００ｎと基地局装置２００との間の無線通信を制御する通信制御方法であって、上りリンクの信号の送信を指示する制御信号を受信する工程Ａと、基地局装置２００に対して、制御信号に基づいて、上りリンクの信号を送信する工程Ｂとを備え、工程Ｂにおいて、制御信号に含まれる情報が予め指定されている内容と合致する場合に、上りリンクの信号の一部を送信することを要旨とする。
【０２５３】
なお、本発明に係る上りリンクにおけるマルチキャリア送信は、上りスケジューリンググラントによる上りリンクの信号の送信指示をトリガーとしたマルチキャリア送信だけでなく、上りスケジューリンググラントによる上りリンクの信号の送信指示をトリガーとした上りリンクの信号の送信、周期的な上りリンクの信号の送信、又は、下りリンクの送信をトリガーとした上りリンクの信号の送信の組み合わせによるマルチキャリア送信であってもよい。
【０２５４】
ここで、周期的な上りリンクの信号の送信には、周期的なＣＱＩの送信や、Ｓｏｕｎｄｉｎｇ  ＲＳの送信、Ｓｃｈｅｄｕｌｉｎｇ  ｒｅｑｕｅｓｔの送信が含まれてもよい。また、下りリンクの送信をトリガーとした上りリンクの信号の送信には、ＰＤＳＣＨに対する送達確認情報であるＡＣＫ/ＮＡＣＫの送信が含まれてもよい。
【０２５５】
なお、上述のユーザ装置１００ｎや基地局装置２００の動作は、ハードウェアによって実施されてもよいし、プロセッサによって実行されるソフトウェアモジュールによって実施されてもよいし、両者の組み合わせによって実施されてもよい。
【０２５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ユーザ装置１００ｎや基地局装置２００内に設けられていてもよい。また、かかる記憶媒体及びプロセッサは、ディスクリートコンポーネントとしてユーザ装置１００ｎや基地局装置２００内に設けられていてもよい。
【０２５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０２５９】
２００…基地局装置
２１…第１送信部
２２…第２送信部
２３…記憶部
２４…受信部
１００ｎ…ユーザ装置
１１…制御信号受信部
１２…記憶部
１３…上りリンク信号送信部
【図１】
2010279017.tif 000003
【図２】
2010279017.tif 000004
【図３】
2010279017.tif 000005
【図４】
2010279017.tif 000006
【図５】
2010279017.tif 000007
【図６】
2010279017.tif 000008
【図７】
2010279017.tif 000009
【図８】
2010279017.tif 000010
【図９】
2010279017.tif 000011